(57)【要約】【課題】マルチインターフェース・メモリカードの提供。【解決手段】一種のマルチインターフェース・メモリカードであり、その第１端およびこれと対称になった第２端を具え、該メモリカードの第１端はＵＳＢソケットの接続口形状に合せて設け、第１端の付近場所にＵＳＢインターフェースおよび複数の接点を設け、第２端の付近場所に該メモリカードの読取／書込インターフェースおよび複数の接点を設ける。該メモリカードの第１端および第２端の横幅をほぼ同じに設け、かつ、第１端は第２端より厚く設けることにより、メモリカードの選択により、読取／書込インターフェースを同じインターフェース規格のカードコネクターとの接続を可能にする。または、ＵＳＢインターフェースをＵＳＢソケットに挿置して、データのアクセスを行う。メモリカードはさらに、変換カードを挿置することにより、ＳＤカード、ＭＳカードまたは他のメモリカード形式に変換して、データの読取／書込を行うことができる。【選択図】図７
0003125881.tif 000002
【実用新案登録請求の範囲】
【請求項１】
第１端およびこれと対称になった第２端を具え、該メモリカードの第１端はＵＳＢポートの接口形状に合せて、第１端の付近場所にＵＳＢインターフェースおよび複数の接点を設け、第２端の付近場所に該メモリカードの読取／書込インターフェースおよび複数の接点を設け、該メモリカードの第１端および第２端の横幅をほぼ同じように設け、第１端は第２端より厚く設けることを特徴とするマルチインターフェース・メモリカード。
【請求項２】
請求項１記載のマルチインターフェース・メモリカードにおいて、該メモリカードは長い片状体に設け、該第１端と第２端の横幅を同じく設けることを特徴とするマルチインターフェース・メモリカード。
【請求項３】
請求項１記載のマルチインターフェース・メモリカードにおいて、該第２端の横幅は第１端より大きく設け、且つ第１端の横幅の３分の５以下に設けることを特徴とするマルチインターフェース・メモリカード。
【請求項４】
請求項１記載のマルチインターフェース・メモリカードにおいて、該メモリの第２端の横幅は第１端より小さく設け、且つ第１端の横幅の３分の２以上に設けることを特徴とするマルチインターフェース・メモリカード。
【請求項５】
請求項２、３または請求項４記載のマルチインターフェース・メモリカードにおいて、該メモリカードの第２端の横幅は、他種のメモリカードの規格と異なるように設けることを特徴とするマルチインターフェース・メモリカード。
【請求項６】
請求項１記載のマルチインターフェース・メモリカードにおいて、該ＵＳＢインターフェースと読取／書込インターフェースは、該メモリカードと同じ側の表面に設けることを特徴とするマルチインターフェース・メモリカード。
【請求項７】
請求項１記載のマルチインターフェース・メモリカードにおいて、該ＵＳＢインターフェースと読取／書込インターフェースは、該メモリカードと異なる表面に設けることを特徴とするマルチインターフェース・メモリカード。
【考案の詳細な説明】
【技術分野】
【０００１】
本考案は一種のマルチインターフェース・メモリカード、特に一種のメモリカードの横幅を近似に設ける。その一端ＵＳＢインターフェースを設け、他端に読取／書込インターフェースを設ける。
【背景技術】
【０００２】
近来、コンピュータの技術進歩が日進月歩し、コンピュータハードウエア自体も演算能力の向上、スピードの加速化に進展しつつあり、コンピュータ、電子辞書など拡張記憶装置、ネットワークカード、モデム、ＳＣＳＩ装置（大容量ハードディスク、スキャナーなど）の拡張電子カードなど、幅広く応用されている。その電子カードはコンピュータで典型的に使用する形式は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｅｒｆａｃｅ  Ａｓｓｏｃｉａｔｉｏｎ）である。
【０００３】
ＰＣＭＣＩＡ規格から他のインターフェースに変換する設計も一般に行われている。ＰＣＭＣＩＡ ｔｏ  ＳＣＳＩ、ＰＣＭＣＩＡ ｔｏ  ＩＤＥなどの規格は、パソコンが実行する、様々なインターフェース装置をノートパソコンに使用することを実現している。
【０００４】
その他、様々なタイプの電子カードは情報型携帯端末（ＰＤＡ）およびパームトップ型電子辞書などの装置にもＭｕｔｉｍｅｄｉａ  Ｃａｒｄ  に使用されている。ＰＣＭＣＩＡメモリカードの規格以外に、ＭＭＣ（Ｍｕｌｔｉ  ｍｅｄｉａ  Ｃａｒｄ）、ＣＦ（Ｃｏｍｐａｃｔ  Ｆｌａｓｈ  Ｃａｒｄ）、ＳＭＣ（Ｓｍａｒｔ  Ｍｅｄｅａ  Ｃａｒｄ）、ＭＳ（Ｍｅｍｏｒｙ  Ｓｔｉｃｋ）、ＳＤ（Ｓｅｃｕｒｅ  ｄｉｇｉｔａｌ  Ｍｅｍｏｒｙ  Ｃａｒｄ）などの規格がある。
【０００５】
しかしながら、これらのメモリカードのほとんどは一種のインターフェース規格しかないため、幅広く応用されているＵＳＢ規格の接続インターフェースは対応していない。現在、図１に示す特定のデュアル・インターフェースメモリカード９０は、その一端にＵＳＢインターフェース９１を設け、電子装置９２のＵＳＢソケット９３の挿置に備える。他端はＳＤカードインターフェース９４を設け、同じ規格のカードコネクターの挿置に備える。しかしながら、該デュアル・インターフェースメモリカード９０の外形寸法はＵＳＢインターフェース９１より大きいため、デュアル・インターフェースメモリカード９０本体の大部分がＵＳＢソケット９３外部にはみだすため、他のスロットスペースを占用し、カード挿入の邪魔となり、衝撃など破損を引き起し、利用者に迷惑を掛ける。
【０００６】
その上、該デュアル・インターフェースメモリカード９０の装置インターフェース９４は規格変換のため、変換カードと組合せることができない。一方、図２、３に示す従来型のＭＳ Ｄｕｏメモリカード９５は、変換カード９６によって、ＭＳメモリカード規格のみに変換できる。図４、５に示すＭｉｎｉ ＳＤメモリカード９７は、変換カード９８によって、ＳＤメモリカード規格のみに変換できる。
【考案の開示】
【考案が解決しようとする課題】
【０００７】
本考案の主目的は一種のマルチインターフェース・メモリカードを提供する、デュアル・インターフェースメモリカードの長さ、幅および大きさを小型化するほか、その一端のＵＳＢインターフェースは、そのままＵＳＢスロットに挿置することを実現し、デュアル・インターフェースメモリカードがスロットよりはみ出すことにより、他のスロットスペースの占用を避ける。他端に読取／書込インターフェースを設け、同じインターフェース規格のソケットコネクターの挿置に備える。さらに、他端に変換カードを読取／書込インターフェースに挿置、ＳＤカード、ＭＳカードなど他種のメモリカードに変換して、データの読取／書込を実行し、多用途の使用要求に応える。
【０００８】
前記目的を達成するため、本考案によるマルチインターフェース・メモリカードは、第１端および合せて第２端を設け、該メモリカードの第１端はＵＳＢソケットの接続口形状に合せて、第１端の付近場所にＵＳＢインターフェースおよび複数の接点を設ける。第２端の付近場所に該メモリカードの読取／書込インターフェースおよび複数の接点を設ける。該メモリカードの第１端および第２端の横幅をほぼ同じく設け、かつ、第１端は第２端より厚く設ける。
【０００９】
好ましい例において、該メモリカードの第１端および第２端は同じ横幅を設ける。ただし、異なるが近似した横幅を設けても良い。
【００１０】
前記メモリカードの第２端の横幅は、他のメモリカードと違う規格を設ける。
【００１１】
もう一つの好ましい例において、該メモリカードのＵＳＢインターフェースと読取／書込インターフェースは同じ側または反対側の表面に設ける。
【課題を解決するための手段】
【００１２】
請求項１の考案は、第１端およびこれと対称になった第２端を具え、該メモリカードの第１端はＵＳＢポートの接口形状に合せて、第１端の付近場所にＵＳＢインターフェースおよび複数の接点を設け、第２端の付近場所に該メモリカードの読取／書込インターフェースおよび複数の接点を設け、該メモリカードの第１端および第２端の横幅をほぼ同じように設け、第１端は第２端より厚く設けることを特徴とするマルチインターフェース・メモリカードとしている。
請求項２の考案は、請求項１記載のマルチインターフェース・メモリカードにおいて、該メモリカードは長い片状体に設け、該第１端と第２端の横幅を同じく設けることを特徴とするマルチインターフェース・メモリカードとしている。
請求項３の考案は、請求項１記載のマルチインターフェース・メモリカードにおいて、該第２端の横幅は第１端より大きく設け、第１端の横幅の３分の５以下に設けることを特徴とするマルチインターフェース・メモリカードとしている。
請求項４の考案は、請求項１記載のマルチインターフェース・メモリカードにおいて、該メモリの第２端の横幅は第１端より小さく設け、第１端の横幅の３分の２以上に設けることを特徴とするマルチインターフェース・メモリカードとしている。
請求項５の考案は、請求項２、３または請求項４記載のマルチインターフェース・メモリカードにおいて、該メモリカードの第２端の横幅は、他種のメモリカードの規格と異なるように設けることを特徴とするマルチインターフェース・メモリカードとしている。
請求項６の考案は、請求項１記載のマルチインターフェース・メモリカードにおいて、該ＵＳＢインターフェースと読取／書込インターフェースは、該メモリカードと同じ側の表面に設けることを特徴とするマルチインターフェース・メモリカードとしている。
請求項７の考案は、請求項１記載のマルチインターフェース・メモリカードにおいて、該ＵＳＢインターフェースと読取／書込インターフェースは、該メモリカードと異なる表面に設けることを特徴とするマルチインターフェース・メモリカードとしている。
【考案の効果】
【００１３】
本考案により、デュアル・インターフェースメモリカードの長さ、幅および大きさを小型化することにより、その一端のＵＳＢインターフェースをＵＳＢソケットに挿置、デュアル・インターフェースメモリカード本体のはみ出し状況を軽減し、他のコネクターポートの占用を避ける。他端に読取／書込インターフェースを設け、同じインターフェース規格のソケットコネクターの挿置に備える。さらに、他端に変換カードを読取／書込インターフェースに挿置、ＳＤカード、ＭＳカードなど他種のメモリカードに変換して、データの読取／書込を実行し、多用途の使用要求に応える。
【考案を実施するための最良の形態】
【００１４】
図６、図７に示すとおり、本考案の好ましい実施例において、長い片状のメモリカード１０を設け、その内部にメモリ装置とチップセットを設ける。該メモリカード１０の一端にＵＳＢインターフェース１５を設け、通常の電子装置のＵＳＢスロット（図示していない）に装置する。該メモリカード１０の他端に読取／書込インターフェース１６を設け、許容規格のインターフェースを備えたソケットコネクター（図示していない）に装置する。
【００１５】
図６、図７に示すとおり、メモリカード１０の本体は、デュアル・インターフェース長い片状を設け、近似した横幅の第１端１１およびこれに合せて第２端１２を設ける。第１端１１と第２端１２は同じ横幅断面を設けることにより、第１端１１はＵＳＢソケットコネクター接続口の形状を設ける。図７に示すとおり、該メモリカード１０は第１端１１底部表面１７に電子装置のＵＳＢソケット（図示していない）インターフェースの片形状に備える複数の導電接点１３と電気接続し、一端にＵＳＢインターフェース１５を構成する。さらに、メモリカード１０第１端１１の形状はＵＳＢソケットの接続口に合せて設け、挿置後にデータのアクセスを提供する。メモリカード１０の第１端１１を電子装置ＵＳＢのソケットに挿置した後、第２端１２は外部に露出されるが、露出する大きさ、長さおよび幅とも通常のデュアル・インターフェースメモリカードの規格より小さいほか、ＵＳＢソケットの接続形状を仕上げて、他の接続ポートの占用を防止し、カードの挿置使用に便利を提供し、外力による毀損率を低減する。
【００１６】
前記メモリカード１０第１端１１の厚みは第２端１２より厚く設け、第２端１２の底部表面１７に片形状複数の導電接点１４と電気接続し、他端に読取／書込インターフェース１６を設ける。その規格は６つ以上の接点１４のうち、正極、負極およびデータ０、１、２、３極をそれぞれ設け、第２端１２およびその読取／書込インターフェース１６は許容インターフェース規格のソケットコネクター（図示していない）に挿置する。
【００１７】
図６、図７に示すとおり、メモリカード１０の天面１８は第２端１２より先は傾斜面を設け、第１端１１の突起段差面１９に接続する。さらに、ＵＳＢインターフェース１５に備える複数の接点１３および読取／書込インターフェース１６に備える複数の接点１４とも底部表面１７に設ける。このほか、ＵＳＢインターフェース１５と読取／書込インターフェース１６を異なる表面１７、１８それぞれに設ける。一例として、図８に示すように、読取／書込インターフェース１６をメモリカード１００の天面に設ける。
【００１８】
本実施例によるメモリカード１０の第１端１１と第２端１２の横幅を同じに設けるほか、図９に示す近似した横幅を設けることにより、メモリカード１０１第２端１２１の横幅を第１端１１１より大きく設け、第１端１１１の横幅の３分の５以下に設ける。これにより、図１０に示すとおり、メモリカード１０２の第２端１２２の横幅を第１端１１２より小さく設け、かつ、第１端１１２の横幅の３分の２以上に設ける。さらに、各実施例のメモリカード１０、１０１、１０２に備える第２端１２、１２１、１２２の横幅を他のメモリカードの既存規格と異なるように設け、許容インターフェースのソケットコネクター（図示していない）と単独に接続しても良い。
【００１９】
さらに、図１１、図１２に示す好ましい例において、該メモリカード１０は変換カード２０に挿置、別種のメモリカードタイプとインターフェース規格に変換して、電子装置既存のソケットコネクターの挿置に備える。図１１〜１４に示すとおり、変換カード２０の構造において、該変換カード２０は、他種のメモリカード規格と同じ寸法、形状、および厚みを設け、同じく二つの向かい合った第１端２１１および第２端２１２を設けて、第１端２１１の中間開口部２１３は第２端２１２に延ばして該メモリカード１０のスロット２３に合せる。さらに、スロット２３の後部区間に該メモリカード１０に対応した読取／書込インターフェース１６複数の接点１４（図７）に備える複数列の導電弾性片２４を設ける。変換カード２０は第２端２１２の底面に、他種のメモリカードの規格と同一インターフェース形状にて、複数列の片形状の導電接点２５（図１２）を設けるほか、複数列の導電弾性片２４に対応してそれぞれ電気接続する。好ましい例において、該メモリカード２０はＳＤメモリカードなど、汎用のメモリカード規格、または他のメモリカード規格に設けることができる。図１５、図１６に示すとおり、メモリカード１０はＭＳ変換カード２０１を挿置することにより、ＭＳメモリカード規格に変換する。
【００２０】
本実施例において、メモリカード１０の変換カード２０は使用するときに、図７および図１１〜１４に示すとおり、該メモリカード１０の第２端１２を変換カード２０に備えるスロット２３に挿入固定することにより、該メモリカード１０読取／書込インターフェース１６に備える複数の接点１４は変換カード２０の配列した複数の導電弾性片２４は配列した複数の導電接点２５をそれぞれに対応および電気接続した上、他種のメモリカードインターフェース（図示のＳＤメモリカードなど）に変換し、電子装置が対応するＳＤソケットコネクターの挿置に備える。
【００２１】
好ましい例において、該変換カード２０は、プラスチック製本体２１は金属製上蓋２２を組み込まれて、両者の間にスロット２３を構成するほか、第１端２１１の中間場所に、上下ふたつのノッチ２１４、２２１を設け、該メモリカード１０の第１端１１天面の突起段差面１９と合せて、該メモリカード１０の挿抜を便利する。
【００２２】
図１２〜１４に示すメモリカード２０の構造において、配列した複数の導電弾性片２４が分布する幅は、配列した複数の導電接点２５より狭く、各導電弾性片２４それぞれの一端に斜面引起し接触部２４１を設け、該メモリカード１０の読取／書込インターフェース１６に備える複数の接点１４（図７）に対応し接触する。さらに、導電弾性片２４の他端は、該変換カード２０に備える配列した複数の導電接点２５に対応し電気接続することにより、他種のメモリカードのタイプおよびインターフェース規格に変換する。
【図面の簡単な説明】
【００２３】
【図１】公知技術のデュアル・インターフェースメモリカードをＵＳＢポートに挿入する前の立体図である。
【図２】公知技術のもう一種のメモリカードと変換カードとの組合せによる立体分解図である。
【図３】図２の組合せ図である。
【図４】公知技術のもう一種のメモリカードと変換カードとの組合せによる立体分解図である。
【図５】図４の組合せ図である。
【図６】本考案の好ましい実施例におけるメモリカードの立体図である。
【図７】図６に示すメモリカードの立体図である。
【図８】図６に示すメモリカードのもう一種の読取／書込インターフェースの立体図である。
【図９】本考案のもう一つの好ましい実施例におけるメモリカードの立体図である。
【図１０】本考案のもう一つの好ましい実施例におけるメモリカードの立体図である。
【図１１】本考案の好ましい実施例におけるメモリカードと変換カードと組合せた立体図である。
【図１２】図１１の底面状態の立体図である。
【図１３】図１１における変換カードの上蓋を取り外したときの概略図である。
【図１４】図１３による変換カードの立体図である。
【図１５】本考案の好ましい実施例におけるメモリカードがもう一種の変換カードと組合せたときの立体分解図である。
【図１６】図１５の組合せ図である。
【符号の説明】
【００２４】
１０  メモリカード
１１  第１端
１２  第２端
１３  接点
１４  接点
１５  ＵＳＢインターフェース
１６  読取／書込インターフェース
１７  表面
１８  表面
１９  突起段差面
１００、１０１、１０２  メモリカード
２０  変換カード
２１  プラスチック製本体
２２  上蓋
２３  スロット
２４  導電弾性片
２５  導電接点
２０１  変換カード
２１１  第１端
２１２  第２端
２１３  開口部
２１４  ノッチ
２２１  ノッチ
２４１  接触部
【図１】
0003125881.tif 000003
【図２】
0003125881.tif 000004
【図３】
0003125881.tif 000005
【図４】
0003125881.tif 000006
【図５】
0003125881.tif 000007
【図６】
0003125881.tif 000008
【図７】
0003125881.tif 000009
【図８】
0003125881.tif 000010
【図９】
0003125881.tif 000011
【図１０】
0003125881.tif 000012
【図１１】
0003125881.tif 000013
【図１２】
0003125881.tif 000014
【図１３】
0003125881.tif 000015
【図１４】
0003125881.tif 000016
【図１５】
0003125881.tif 000017
【図１６】
0003125881.tif 000018